(57)【要約】      （修正有）【課題】複数の紙器のブランクを１枚の原反から打抜く際に、各紙器相互間に生ずる「ドブ」（無駄の部分）を少なくし、原紙ロスを小さくすることで打ち抜き屑の除去作業を軽減することができる打抜き型の刃物及びそれを用いた打抜き型を提供する。【解決手段】紙器の製造におけるブランクの打抜き工程において使用される打抜き型の基板３に取付けて使用される刃物１であって、基板をカッテイングして形成した取付溝４にベース２が埋込み固定され、ベース２上には、１本刃からなる切刃の主刃５を一体に設けると共に、その主刃５の長さ方向の両端もしくは何れか一方の端側に、主刃から相反する方向に延びる分岐刃６、７を一体に形成し、打抜き基板に割り付けられた複数の紙器のブランクを紙器原反から打抜く際に、原反に生じる余白面積を最小限にするように、主刃と分岐刃とにより、紙器ブランクの複数を同時に打抜くことができるようにした。【選択図】図１
0003114184.tif 000002
【実用新案登録請求の範囲】
【請求項１】
紙器の製造におけるブランクの打抜き型の基板に取付けて使用される刃物であって、
前記基板をカッテングして形成した取付溝にベースが埋込み固着され、該ベース上には、１本刃からなる切刃の主刃を一体に設けると共に、その主刃の長さ方向の両端もしくは何れか一方の端側に、前記主刃から相反する方向に延びる分岐刃を一体に形成して、打抜き基板に割り付けられた複数の紙器ブランクを紙器原反から打抜く際に、原反に生じる余白面積を最小限にするように、前記主刃と分岐刃とにより、隣合う紙器ブランクの複数を同時に打抜くことができるようにしたことを特徴とする紙器打抜き型用刃物。
【請求項２】
前記ベースに対し、１本又は複数本の取替え用ネジ孔を設けた請求項１に記載の紙器打抜き型用刃物。
【請求項３】
前記ベースに対し、ベースを鉛直方向に貫通する空気逃がし路を設けた請求項１または請求項２に記載の紙器打抜き型用刃物。
【請求項４】
請求項１ないし請求項３のいずれか１項に記載の紙器打抜き型用刃物の切刃ベースと、打抜き基板に形成した取付溝との間に切欠きが設けられ、該切欠きに連結手段としての刃物落下防止板が配置されることを特徴とする紙器打抜き型。
【考案の詳細な説明】
【技術分野】
【０００１】
本考案は、菓子箱、化粧品箱、薬箱等の紙器の製造における打抜き工程において使用される打抜き型の刃物に関する。
【背景技術】
【０００２】
板紙、段ボール紙等からなる箱（以下において「紙器」という。）は、例えば、当該紙器に付ける図柄を原紙に印刷し、この印刷紙から紙器展開図形の輪郭線に沿って型抜きを施してブランクを形成する。型抜きしたブランクは、所定形状に折りたたみ、所定個所を糊付けすることによって、いわゆるカートンとして製造される。この打抜きには、通常、上型と下型からなる打抜き型が用いられる。
【０００３】
打抜き型は上型と下型とを対向配置し、下型の上に段ボールまたは板紙等の原紙を載置してから、上型を下降して、上型より突設した刃物により、紙器展開図形の輪郭線に沿って型抜きを施すものである。通常、上型は、打抜こうとするブランクの形状及び大きさに対応して配置された多数の切刃と、紙器の折りたたみ箇所に罫線（押し罫）を形成するために当該箇所に対応して配置された多数の罫線刃とを備えている。よって、打抜き型は、複数の紙器のブランクを打抜くことができるように切刃及び罫線刃が一体的形状として作成される。
【考案の開示】
【考案が解決しようとする課題】
【０００４】
図８（紙器割付図）に示すように、１つの打抜き型に同一の種類の紙器を割り付けた場合や複数種類の紙器を割り付けた場合において、複数個の紙器Ａを原紙全面に割り付けたとき、俗に「ドブ」と呼ばれる余白部を残すように、各紙器の境の位置に長尺なプレート状の刃物を２本取付けて使用する。換言すれば、従来は略6ｍｍの程度間隔をあけた２枚の直線刃（２枚刃）を取付けて、これらの刃物により１枚の原紙から紙器のブランクを打抜いていた。
従って、各紙器間には少なくても幅6ｍｍ程度のドブと呼ばれる無駄の部分（屑）が生じている。最近では、打ち抜き作業の無駄を排除し時間短縮を図るという生産現場の改善活動が活発になっているが、この打抜き屑を除去するための労力と時間は、馬鹿にならないほど大きかったのである。
【０００５】
そこで、本考案は、複数の紙器のブランクを１枚の原反から打抜く際に、各紙器相互間に生ずる「ドブ」を少なくし、原紙ロスを小さくすることで打ち抜き屑の除去作業を軽減する打抜き型の刃物及びそれを用いた打抜き型を提供することを課題とする。
【課題を解決するための手段】
【０００６】
本考案者は、複数の紙器を同時に製造することができる新規な打抜き型用刃物及びそれを用いた打抜き型を提案することによって従来の問題点を改善した。
【０００７】
以下、本考案について詳細に説明する。なお、本考案の理解を容易にするために添付図面の参照符号を付記するが、それにより本考案が図示の形態に限定されるものではない。
【０００８】
本考案の請求項１では、紙器の製造におけるブランクの打抜き工程において使用される打抜き型の基板３に取付けて使用される刃物１であって、
前記基板をカッテイングして形成した取付溝４にベース２が埋込み固定され、該ベース２上には、１本刃からなる切刃の主刃５を一体に設けると共に、その主刃５の長さ方向の両端もしくは何れか一方の端側に、前記主刃から相反する方向に延びる分岐刃６、７を一体に形成し、打抜き基板に割り付けられた複数の紙器のブランクを紙器原反から打抜く際に、原反に生じる余白面積を最小限にするように、前記主刃と分岐刃とにより、前記紙器ブランクの複数を同時に打抜くことができるようにしたことを特徴とする紙器打抜き型用刃物である。
【０００９】
請求項２は、前記ベースに対し、１本又は複数本の取替え用ネジ孔１０を設けた請求項１に記載の紙器打抜き型用刃物である。その取替え用ネジ孔１０は、主刃の腹板を挟み、ベースの略中央に２本設けるのが好ましい。
【００１０】
請求項３は、前記ベースに、ベースを鉛直方向に貫通する空気逃がし路１１を設けた請求項１または請求項２に記載の紙器打抜き型用刃物である。
【００１１】
請求項４は、請求項１ないし請求項３のいずれか１項に記載の紙器打抜き型用刃物の切刃ベース２と、打抜き基板に形成した取付溝４との間に、それぞれ切欠き１２が設けられ、該切欠きに連結手段として刃物落下防止板１３が配置されることを特徴とする紙器打抜き型である。
【考案の効果】
【００１２】
請求項1によれば、１本の刃物によって段ボールまたは板紙等の原反の所要部分を型抜きして、紙器のブランクを原反から打抜くものであるから、各紙器相互間に生ずる「ドブ」と呼ばれる原紙の無駄（ロス）を少なくすることができる。また、打抜き屑を除去するための労力と時間を節減できる。
【００１３】
切刃は、使用中に破損や変形したり、磨耗することがある。そのような場合は、刃の修理、刃交換する必要があるので、請求項２に示すように、予め切刃のベース部にタップを切って、１本又は複数本の取替え用ネジ孔を鉛直方向に設けておけば、そのネジ孔を利用して、打ち抜き型の基板から切刃を容易に抜き取り、交換することができる。
【００１４】
紙器原反を打抜く際に、刃を植設した基板側では、原反と基板とにより囲まれた密閉した空間を生じ、抜き型の下降に従って原反は前記空間を狭めていくため、前記空間の空気を逃がす必要があり、空気の逃道がないと、空気抵抗を生じて良好な型抜き作業ができなくなるという問題がある。しかし、本考案の請求項３によれば、ベースを鉛直方向に貫通する空気逃がし路を設けると、密閉された空間内で生ずる圧縮された空気は外部へ逃げることができる。
【００１５】
紙器打抜き型の切刃は、打抜き型の基板にレーザーなどによりカッテイングした溝に強固に固定されているが、繰り返しの使用により、その切刃と溝との間に隙間を生じ次第に切刃は緩んで脱落することがある。そこで、請求項４のように、基板に形成した溝に嵌め込んだ切刃が緩んで脱落することを防止するために、切刃ベース部と、打抜き基板に形成した取付溝との間に形成した切欠きに刃物落下防止材を配置することで、摩擦抵抗力を高める。従って、切刃は基板にほぼ完全に固定されるので、刃材が使用中に緩くなったり、基板から抜けるという虞がなくなるものである。
【考案を実施するための最良の形態】
【００１６】
以下本考案を図面に示す実施形態に基づき説明する。図１には、本考案の打抜き型の基板に取付けて使用される刃物１の第１実施例が示されている。この刃物１は、全体が鋼材より形成されており、刃高Ｈは約２３．６ｍｍであり、根元部（ベース２の高さは約１３．６ｍｍ）を抜き型の基板３（厚さは約１８ｍｍ）にカッテイングして形成した取付溝４に嵌着し、刃先部分を基板より突出させて使用する。図２は、前記型の基板３に形成させた取付溝４にベース２を固定した一例を示す断面図である。
【００１７】
図示のベース２は平面視で略Ｈ型に形成されている。そのベースの中央上面に、薄肉の１本刃からなる主刃５を一体に設け、その主刃５の長さ方向の両端に、前記主刃から相反する方向に延びる分岐刃６Ｒ、６Ｌと７Ｒ、７Ｌとを一体に形成している。なお分岐刃は、主刃５の両端に設けることは必ずしも必要でなく、何れか一方の端に設ければよい。また、刃先は主刃、分岐刃とも、両刃となっているが片刃でもよい。更に切刃は全切刃である必要はなく、半切刃であってもよい。
【００１８】
図１、図３に示すように、主刃と分岐刃との接続部分の刃先稜線は、連続した円弧状に形成され、アール部８、９とされている。しかし円弧状に形成することに限るものではなく、後記のように主刃と分岐刃との接続部分の刃先稜線を鈍角または鋭角状に形成することも可能である。切刃は紙器展開図形の輪郭線に沿って型抜きを施すものであるから、上記の刃形以外、種々の形状を組み合わせたものを採用することができる。
【００１９】
なお、上記の刃形は、一例としてマシニングセンタにより加工したものであるが、金属ベースに刃形線をデザインして、その刃形線を除いた部分を腐食し、刃形線に刃形加工を施すことにより種々の形状を形成することが可能である。
【００２０】
図１の符号１０で示すものは、主刃５の腹板を挟むように、ベース２の略中央を貫設した２本の切刃取替え用ネジ孔である。切刃は、使用中に破損や変形したり、磨耗することがある。そのような場合は、刃の修理、刃交換する必要があるので、請求項２に示すように、予めベース２にタップを切って、１本又は複数の取替え用ネジ孔を設けておけば、そのネジ孔を利用して、打ち抜き型の基板３から切刃１を容易に抜き取り、交換することができるので好ましい実施例である。
【００２１】
符号１１は、同じく前記ベース２を鉛直方向に貫通する空気逃がし路であり、好ましくは、ベースに対し左右対称的に設ける。前述したように、紙器原反を打抜く際に、刃を植設した基板側では、原反と基板とにより囲まれた密閉した空間を生じ、抜き型の下降に従って原反は前記空間を狭めていくため、前記空間の空気を逃がす必要があり、空気の逃道がないと、空気抵抗を生じて良好な型抜き作業ができなくなるという問題がある。しかし、ベース２を鉛直方向に貫通する空気逃がし路１１を設けると、密閉された空間内で生ずる圧縮された空気は外部へ逃げることができる。
【００２２】
符号１２ａ，１２ｂは、切刃ベースと、打抜き基板に形成した取付溝との間にそれぞれ形成した切欠きである、該切欠きには連結手段としての刃物落下防止板１３がはめ込まれる。紙器打抜き型の切刃は、打抜き型の基板にレーザーなどによりカッテイングした溝に強固に固定されているが、繰り返しの使用により、切刃と溝との間に隙間を生じ次第に切刃は緩んで脱落することがある。そこで、請求項４のように、基板に形成した溝に嵌め込んだ切刃が緩んで脱落することを防止するために、切刃ベース部と、打抜き基板に形成した溝との間に形成した切欠き１２に刃物落下防止板１３を配置することで、摩擦抵抗力を高める。従って、切刃は基板３にほぼ完全に固定されるので、刃材が使用中に緩くなったり、基板から抜けるという虞がなくなる。
【００２３】
図５と図６は、本考案の使用状態を示した紙器割付図である。同図は一つの打抜き型に同一種類の紙器を割り付けた例であり、図５は、紙器Ａを４面付けしたときの本考案の刃物の取付け位置を示す例を示す。また、図６は、紙器Ｂを２面付けした例を示したものであり斜線部分は本考案の刃物（図７）の取付け位置を示す。上記以外にも、本考案の刃物及び打ち抜き型を用いた打抜き方法によれば、同一材料の原紙を使用する複数種類の紙器を同時に製造することができる。
以上のように本考案によって、余白面積が最小になる打抜き型を得ることができ、紙器を原紙寸法の全面に割り付けることにより原紙のロスを最小限に抑えることができるという効果が得られる。
【００２４】
以上好ましいと思われる実施形態に関連して本考案を説明したが、本考案は明細書中に開示された実施形態に限定されるものではない。
【図面の簡単な説明】
【００２５】
【図１】本考案の刃物の第１実施例を示す斜視図である。
【図２】上型の基板に刃物を固定した状態の断面図である。
【図３】図１の刃物の平面図である。
【図４】図１の刃物の底面図である。
【図５】本考案の使用状態を示す紙器割付け図である。
【図６】本考案の使用状態を示す他の割付け図である。
【図７】本考案の他の例を示す刃物の斜視図である。
【図８】従来の紙器割付け図と紙器ブランクを打ち抜くための２本刃の関係を示す展開説明図である。
【符号の説明】
【００２６】
１ 刃物
２ ベース
３ 基板
４ 取付け溝
５ 主刃
６Ｒ、６Ｌ、７Ｒ、７Ｌ  分岐刃
８、９ アール部
１０ 取替え用ネジ孔
１１ 空気逃がし路
１２ａ、１２ｂ  切欠き
１３ 刃物落下防止板
【図１】
0003114184.tif 000003
【図２】
0003114184.tif 000004
【図３】
0003114184.tif 000005
【図４】
0003114184.tif 000006
【図５】
0003114184.tif 000007
【図６】
0003114184.tif 000008
【図７】
0003114184.tif 000009
【図８】
0003114184.tif 000010